【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
ゲートウェイにおいて、衛星を介して複数のユーザ端末からのチャネル状態情報を復調するステップと、
前記ゲートウェイによって、複数のブロックを複数の符号化されたブロックに符号化するステップであって、各ブロックは対応するユーザ端末のためのものであり、前記ゲートウェイは、各ブロックを、その対応するユーザ端末の前記チャネル状態情報の値に従って符号化する、ステップと、
前記ゲートウェイによって、前記複数の符号化されたブロックを複数の変調され符号化されたブロックに変調するステップであって、前記ゲートウェイは、各符号化されたブロックを、その対応するユーザ端末の前記チャネル状態情報の前記値に従って変調する、ステップと、
前記ゲートウェイによって、前記複数の変調され符号化されたブロックを含むスロットを前記衛星を介して前記複数のユーザ端末に送信するステップと
を含む、方法。
【請求項２】
前記ゲートウェイによって前記符号化するステップは、ブロックの、その対応するユーザ端末の前記チャネル状態情報の前記値に従う第1の符号化されたブロックへの第1の符号化のステップを含み、
前記ゲートウェイによって前記変調するステップは、前記第1の符号化されたブロックの、その対応するユーザ端末の前記チャネル状態情報の前記値に従う第1の変調され符号化されたブロックへの第1の変調のステップを含み、
前記方法は、
前記第1の変調され符号化されたブロックに関する否定応答を受信するステップと、
前記ゲートウェイによる、前記ブロックの第2の符号化されたブロックへの第2の符号化のステップと、
前記ゲートウェイによる、前記第2の符号化されたブロックの第2の変調され符号化されたブロックへの第2の変調のステップと、
前記ゲートウェイによって、前記第2の変調され符号化されたブロックを含む第2のスロットを送信するステップと
をさらに含む、請求項1に記載の方法。
【請求項３】
前記第2の符号化のステップは、前記第1の符号化のステップより高い誤り訂正を提供する、請求項2に記載の方法。
【請求項４】
前記第2の変調のステップは、前記第1の変調のステップより低い次数を有する、請求項3に記載の方法。
【請求項５】
前記第1の変調のステップおよび前記第2の変調のステップは、同一の変調方式である、請求項3に記載の方法。
【請求項６】
前記第1の符号化のステップは、外側コードを含まない、請求項3に記載の方法。
【請求項７】
前記第2の符号化のステップは、連結された符号化を含む、請求項6に記載の方法。
【請求項８】
前記第2の変調のステップは、前記第1の変調のステップより低い次数を有する、請求項2に記載の方法。
【請求項９】
前記第1の符号化のステップおよび前記第2の符号化のステップは、同一の符号化方式である、請求項8に記載の方法。
【請求項１０】
前記スロットは、前記複数のユーザ端末の同期化のためのパイロットを含む、請求項1に記載の方法。
【請求項１１】
前記ゲートウェイによって前記符号化するステップは、
連結されたコーディングを使用しない第1の変調およびコーディング方式を選択するステップであって、前記第1の変調およびコーディング方式は、エラーフロアを有する、ステップと、
ブロックのターゲットブロック誤り率および前記エラーフロアが関係を満足する場合には、前記第1の変調およびコーディング方式に従って前記ブロックを符号化かつ変調し、そうではなく前記ブロックの前記ターゲットブロック誤り率および前記エラーフロアが前記関係を満足しない場合には、第2の変調およびコーディング方式に従って前記ブロックを符号化かつ変調するステップであって、前記第2の変調およびコーディング方式は、外側コードを含む、ステップと
を含む、請求項1に記載の方法。
【請求項１２】
前記関係は、未満不等式である、請求項11に記載の方法。
【請求項１３】
前記第2の変調およびコーディング方式は、内側ターボコードおよび外側BCHコードを含む、請求項11に記載の方法。
【請求項１４】
ゲートウェイであって、
モデムと、
前記モデムと通信している少なくとも1つのプロセッサであって、前記少なくとも1つのプロセッサおよび前記モデムは、共同して、
衛星を介する複数のユーザ端末からのチャネル状態情報を復調することと、
複数のブロックを複数の符号化されたブロックに符号化することであって、各ブロックは対応するユーザ端末のためのものであり、各ブロックは、その対応するユーザ端末の前記チャネル状態情報の値に従って符号化される、符号化することと、
前記複数の符号化されたブロックを複数の変調され符号化されたブロックに変調することであって、各符号化されたブロックは、その対応するユーザ端末の前記チャネル状態情報の前記値に従って変調される、変調することと、
前記ゲートウェイに、前記複数の変調され符号化されたブロックを含むスロットを前記衛星を介して前記複数のユーザ端末に送信させることと
を行うように構成される、少なくとも1つのプロセッサと
を含む、ゲートウェイ。
【請求項１５】
前記少なくとも1つのプロセッサおよび前記モデムは、共同して、
ブロックを、その対応するユーザ端末の前記チャネル状態情報の前記値に従って第1の符号化されたブロックに符号化することと、
前記第1の符号化されたブロックを、その対応するユーザ端末の前記チャネル状態情報の前記値に従って第1の変調され符号化されたブロックに変調することと、
前記ゲートウェイが前記第1の変調され符号化されたブロックに関する否定応答を受信することに応答して、前記ブロックを第2の符号化されたブロックに符号化し、前記第2の符号化されたブロックを第2の変調され符号化されたブロックに変調し、かつ前記ゲートウェイに、前記第2の変調され符号化されたブロックを含む第2のスロットを送信させることと
を行うようにさらに構成される、請求項14に記載のゲートウェイ。
【請求項１６】
前記第2の符号化されたブロックは、前記第1の符号化されたブロックより高い誤り訂正を有する、請求項15に記載のゲートウェイ。
【請求項１７】
前記第2の変調され符号化されたブロックは、前記第1の変調され符号化されたブロックより低次の変調を有する、請求項16に記載のゲートウェイ。
【請求項１８】
前記少なくとも1つのプロセッサおよび前記モデムは、共同して、前記第1の符号化されたブロックおよび前記第2の符号化されたブロックを同一の変調方式に従って変調するようにさらに構成される、請求項16に記載のゲートウェイ。
【請求項１９】
前記少なくとも1つのプロセッサおよび前記モデムは、共同して、符号化を連結せずに前記ブロックを前記第1の符号化されたブロックに符号化するようにさらに構成される、請求項16に記載のゲートウェイ。
【請求項２０】
前記少なくとも1つのプロセッサおよび前記モデムは、共同して、連結された符号化を使用して前記ブロックを前記第2の符号化されたブロックに符号化するようにさらに構成される、請求項19に記載のゲートウェイ。
【請求項２１】
前記第2の変調され符号化されたブロックは、前記第1の変調され符号化されたブロックより低次の変調を有する、請求項15に記載のゲートウェイ。
【請求項２２】
前記少なくとも1つのプロセッサおよび前記モデムは、共同して、同一の符号化方式に従って、前記ブロックを前記第1の符号化されたブロックに符号化し、かつ前記ブロックを前記第2の符号化されたブロックに符号化するようにさらに構成される、請求項21に記載のゲートウェイ。
【請求項２３】
前記スロットは、前記複数のユーザ端末の同期化のためのパイロットを含む、請求項14に記載のゲートウェイ。
【請求項２４】
前記少なくとも1つのプロセッサおよび前記モデムは、共同して、
連結されたコーディングを使用しない第1の変調およびコーディング方式を選択することであって、前記第1の変調およびコーディング方式は、エラーフロアを有する、選択することと、
ブロックのターゲットブロック誤り率および前記エラーフロアが関係を満足する場合には、前記第1の変調およびコーディング方式に従って前記ブロックを符号化かつ変調し、そうではなく前記ブロックの前記ターゲットブロック誤り率および前記エラーフロアが前記関係を満足しない場合には、第2の変調およびコーディング方式に従って前記ブロックを符号化かつ変調することであって、前記第2の変調およびコーディング方式は、外側コードを含む、符号化かつ変調することと
を行うようにさらに構成される、請求項14に記載のゲートウェイ。
【請求項２５】
前記関係は、未満不等式である、請求項24に記載のゲートウェイ。
【請求項２６】
前記第2の変調およびコーディング方式は、内側ターボコードおよび外側BCHコードを含む、請求項24に記載のゲートウェイ。
【請求項２７】
非一時的コンピュータ可読記憶媒体であって、
ゲートウェイ内の少なくとも1つのプロセッサによって実行されるときに、前記ゲートウェイに、
衛星を介して複数のユーザ端末からのチャネル状態情報を復調するステップと、
複数のブロックを複数の符号化されたブロックに符号化するステップであって、各ブロックは対応するユーザ端末のためのものであり、各ブロックは、その対応するユーザ端末の前記チャネル状態情報の値に従って符号化される、ステップと、
前記複数の符号化されたブロックを複数の変調され符号化されたブロックに変調するステップであって、各符号化されたブロックは、その対応するユーザ端末の前記チャネル状態情報の前記値に従って変調される、ステップと、
前記複数の変調され符号化されたブロックを含むスロットを前記衛星を介して前記複数のユーザ端末に送信するステップと
を含む方法を実行させる記憶された命令を有する、非一時的コンピュータ可読記憶媒体。
【請求項２８】
前記方法における前記符号化するステップは、ブロックの、その対応するユーザ端末の前記チャネル状態情報の前記値に従う第1の符号化されたブロックへの第1の符号化のステップを含み、
前記方法における前記変調するステップは、前記第1の符号化されたブロックの、その対応するユーザ端末の前記チャネル状態情報の前記値に従う第1の変調され符号化されたブロックへの第1の変調のステップを含み、
前記方法は、
前記第1の変調され符号化されたブロックに関する否定応答を受信するステップと、
前記ブロックの第2の符号化されたブロックへの第2の符号化のステップと、
前記第2の符号化されたブロックの第2の変調され符号化されたブロックへの第2の変調のステップと、
前記第2の変調され符号化されたブロックを含む第2のスロットを送信するステップと
をさらに含む、請求項27に記載の非一時的コンピュータ可読記憶媒体。
【請求項２９】
前記第2の符号化のステップは、前記第1の符号化のステップより高い誤り訂正を提供する、請求項28に記載の非一時的コンピュータ可読記憶媒体。
【請求項３０】
前記第2の変調のステップは、前記第1の変調のステップより低い次数を有する、請求項29に記載の非一時的コンピュータ可読記憶媒体。
【請求項３１】
前記第1の変調のステップおよび前記第2の変調のステップは、同一の変調方式である、請求項29に記載の非一時的コンピュータ可読記憶媒体。
【請求項３２】
前記第1の符号化のステップは、外側コードを含まない、請求項29に記載の非一時的コンピュータ可読記憶媒体。
【請求項３３】
前記第2の符号化のステップは、連結された符号化を含む、請求項32に記載の非一時的コンピュータ可読記憶媒体。
【請求項３４】
前記第2の変調のステップは、前記第1の変調のステップより低い次数を有する、請求項28に記載の非一時的コンピュータ可読記憶媒体。
【請求項３５】
前記第1の符号化のステップおよび前記第2の符号化のステップは、同一の符号化方式である、請求項34に記載の非一時的コンピュータ可読記憶媒体。
【請求項３６】
前記スロットは、前記複数のユーザ端末の同期化のためのパイロットを含む、請求項27に記載の非一時的コンピュータ可読記憶媒体。
【請求項３７】
前記方法における前記符号化するステップは、
連結されたコーディングを使用しない第1の変調およびコーディング方式を選択するステップであって、前記第1の変調およびコーディング方式は、エラーフロアを有する、ステップと、
ブロックのターゲットブロック誤り率および前記エラーフロアが関係を満足する場合には、前記第1の変調およびコーディング方式に従って前記ブロックを符号化かつ変調し、そうではなく前記ブロックの前記ターゲットブロック誤り率および前記エラーフロアが前記関係を満足しない場合には、第2の変調およびコーディング方式に従って前記ブロックを符号化かつ変調するステップであって、前記第2の変調およびコーディング方式は、外側コードを含む、ステップと
を含む、請求項27に記載の非一時的コンピュータ可読記憶媒体。
【請求項３８】
前記関係は、未満不等式である、請求項37に記載の非一時的コンピュータ可読記憶媒体。
【請求項３９】
前記第2の変調およびコーディング方式は、内側ターボコードおよび外側BCHコードを含む、請求項37に記載の非一時的コンピュータ可読記憶媒体。
【請求項４０】
ゲートウェイであって、
前記ゲートウェイにおいて、衛星を介して複数のユーザ端末からのチャネル状態情報を復調するための手段と、
前記ゲートウェイによって、複数のブロックを複数の符号化されたブロックに符号化するための手段であって、各ブロックは対応するユーザ端末のためのものであり、前記ゲートウェイは、各ブロックを、その対応するユーザ端末の前記チャネル状態情報の値に従って符号化する、手段と、
前記ゲートウェイによって、前記複数の符号化されたブロックを複数の変調され符号化されたブロックに変調するための手段であって、前記ゲートウェイは、各符号化されたブロックを、その対応するユーザ端末の前記チャネル状態情報の前記値に従って変調する、手段と、
前記ゲートウェイによって、前記複数の変調され符号化されたブロックを含むスロットを前記衛星を介して前記複数のユーザ端末に送信するための手段と
を含む、ゲートウェイ。
【請求項４１】
前記ゲートウェイによって前記符号化するための手段は、ブロックの、その対応するユーザ端末の前記チャネル状態情報の前記値に従う第1の符号化されたブロックへの第1の符号化を含み、
前記ゲートウェイによって前記変調するための手段は、前記第1の符号化されたブロックの、その対応するユーザ端末の前記チャネル状態情報の前記値に従う第1の変調され符号化されたブロックへの第1の変調を含み、
前記ゲートウェイが、前記第1の変調され符号化されたブロックに関する否定応答を受信する場合に、前記符号化するための手段は、前記ゲートウェイによる、前記ブロックの第2の符号化されたブロックへの第2の符号化を含み、前記変調するための手段は、前記ゲートウェイによる、前記第2の符号化されたブロックの第2の変調され符号化されたブロックへの第2の変調を含み、前記送信するための手段は、前記ゲートウェイが前記第2の変調され符号化されたブロックを含む第2のスロットを送信することを含む、
請求項40に記載のゲートウェイ。
【請求項４２】
前記第2の符号化は、前記第1の符号化より高い誤り訂正を提供する、請求項41に記載のゲートウェイ。
【請求項４３】
前記第2の変調は、前記第1の変調より低い次数を有する、請求項42に記載のゲートウェイ。
【請求項４４】
前記第1の変調および前記第2の変調は、同一の変調方式である、請求項42に記載のゲートウェイ。
【請求項４５】
前記第1の符号化は、外側コードを含まない、請求項42に記載のゲートウェイ。
【請求項４６】
前記第2の符号化は、連結された符号化を含む、請求項45に記載のゲートウェイ。
【請求項４７】
前記第2の変調は、前記第1の変調より低い次数を有する、請求項41に記載のゲートウェイ。
【請求項４８】
前記第1の符号化および前記第2の符号化は、同一の符号化方式である、請求項47に記載のゲートウェイ。
【請求項４９】
前記スロットは、前記複数のユーザ端末の同期化のためのパイロットを含む、請求項40に記載のゲートウェイ。
【請求項５０】
前記ゲートウェイによって前記符号化するための手段は、
連結されたコーディングを使用しない第1の変調およびコーディング方式を選択することであって、前記第1の変調およびコーディング方式は、エラーフロアを有する、選択することと、
ブロックのターゲットブロック誤り率および前記エラーフロアが関係を満足する場合には、前記第1の変調およびコーディング方式に従って前記ブロックを符号化かつ変調し、そうではなく前記ブロックの前記ターゲットブロック誤り率および前記エラーフロアが前記関係を満足しない場合には、第2の変調およびコーディング方式に従って前記ブロックを符号化かつ変調することであって、前記第2の変調およびコーディング方式は、外側コードを含む、符号化かつ変調することと
を含む、請求項40に記載のゲートウェイ。
【請求項５１】
前記関係は、未満不等式である、請求項50に記載のゲートウェイ。
【請求項５２】
前記第2の変調およびコーディング方式は、内側ターボコードおよび外側BCHコードを含む、請求項50に記載のゲートウェイ。